(57)【要約】【課題】上腕、肩、アンダーバストやウエストの筋肉や皮膚が盛り上がったり、はみ出すことなく、確実にカバーリングできる女性用下着を提供する。【解決手段】先端部分を切り落したパンティーストッキングの脚挿入部及びこれに連設する腹部からなり、当該腹部に対して縦方向の切れ目を入れて腹部を展開状態とした第１の部分片と、パンティーストッキングの腹部を展開状態とした第２の部分片と、展開状態となっている第１の部分片の腹部及び第２の部分片とを連結する連結片とを備え、第１の部分片が上腕、肩、アンダーバストを覆い、第２の部分片１２がウエストを覆うように形作られている。【選択図】図７
2006104642.tif 000002
【特許請求の範囲】
【請求項１】
先端部分を切り落したパンティーストッキングの脚挿入部及びこれに連設する胴体部からなり、該胴体部の腹部に対して縦方向の切れ目を入れて展開状態とした第１の部分片と、
パンティーストッキングの胴体部を展開状態とした第２の部分片と、
前記第１の部分片の胴体部に対して第２の部分片を連結する連結片とを備え、
前記第１の部分片が腕、肩、アンダーバストを覆い、第２の部分片がウエストを覆うように形作られていることを特徴とする女性用下着。
【請求項２】
前記第１の部分片は、膝部とふくらはぎ部との境界部で切断されることにより、ふくらはぎ部より先縁部分が切り落とされていることを特徴とする請求項１に記載の女性用下着。
【請求項３】
前記第１及び第２の部分片の腹部に設けられている縫製部が切り除かれており、この切り除き部分にファスナーが取付けられていることを特徴とする請求項１または２に記載の女性用下着。
【請求項４】
前記ファスナーが取付けられる縦方向に切断された前記第１及び第２の部分片の両縁部は、蝋付けされていることを特徴とする請求項３に記載の女性用下着。
【請求項５】
前記第１及び第２の部分片の前記両縁部の何れか一方には、伸縮性を有する素材で前記ファスナーのベースになる裏打布が縫製されていることを特徴とする請求項１ないし４の何れかに記載の女性用下着。
【請求項６】
前記第１及び第２の部分片の自由端側にゴムレース布が縫製されていることを特徴とする請求項１ないし５の何れかに記載の女性用下着。
【請求項７】
前記第２の部分片には、縦方向のベルトを介し足を挿入して大腿部で留めるリング状の留め部材が設けられていることを特徴とする請求項１ないし６の何れかに記載の女性用下着。
【請求項８】
パンティーストッキングから女性用下着を製造する方法であって、
前記パンティーストッキングの脚挿入部の先端部分を切り落すことにより、第１の部分片を製造する工程と、
前記第１の部分片を用いその胴体部の腹部を縦方向に切断して展開する展開工程と、
パンティーストッキングの胴体部を切り取って第２の部分片を製造する工程と、
連結片を介して前記第１及び第２の部分片を連結する工程と、
縦方向に切断された前記腹部の両縁部にファスナーを取付ける工程と、を含むことを特徴とする女性用下着の製造方法。
【請求項９】
前記第２の部分片を製造する工程は、パンティーストッキングの腹部を分割して形成されること、もしくは前記パンティーストッキングとは別体の他のパンティーストッキングから、その腹部を切り取ることで、製造されることを特徴とする請求項８に記載の女性用下着の製造方法。
【請求項１０】
前記ファスナーを取付ける工程は、縦方向に切断された前記第１及び第２の部分片の両縁部を蝋付けする工程を含むことを特徴とする請求項８または９に記載の女性用下着の製造方法。
【請求項１１】
前記ファスナーのベースになるように、伸縮性を有する裏打布が、前記第１及び第２の部分片の前記両縁部の何れか一方に縫製される工程を含むことを特徴とする請求項８ないし１０の何れかに記載の女性用下着の製造方法。
【請求項１２】
前記第１及び第２の部分片の周縁部にゴムレース布を縫製する工程を含むことを特徴とする請求項８ないし１１の何れかに記載の女性用下着の製造方法。
【請求項１３】
前記第２の部分片には、縦方向のベルトを介し足を挿入して大腿部で留めるリング状の留め部材を設ける工程を含むことを特徴とする請求項８ないし１２の何れかに記載の女性用下着の製造方法。
【発明の詳細な説明】
【技術分野】
【０００１】
本発明は、パンティーストッキングを素材として利用した女性用下着に関する。
【背景技術】
【０００２】
太り気味の女性の身体や、たるんだ筋肉に対しては、ボディスーツを下着として着用することにより体のシルエット線を整えることが行われている。このようなボディスーツとしては、特許文献１（特開２００２−１２９４０６号公報）や特許文献２（特開２００３−８２５０３号公報）に開示されている。
【０００３】
特許文献１は、バスト補整部、ウエスト補整部、下腹部補整部、を備えたボディスーツであって、バスト補整部にはカップ形ブラジャー部が存在せず、着用者の胸肉を引き寄せ、持ち上げて前面に突出させるバスト支持帯が設けられており、ウエスト補整部には、ウエストを覆うウエスト締付け帯が設けられており、下腹部補整部には、下腹部を覆う下腹部締付け帯が設けられている。そして、それぞれ、バスト支持帯、ウエスト締付け帯、下腹部締付け帯の合わせ目には係合留め具が設けられていて、前開き可能に構成されている。
【０００４】
また、特許文献２は、ウエスト部及びガードル部の人体接触側の一部に断面波形の生地が設けられているものであり、特に、断面波形の生地によって形成される凹凸の進行方向がウエスト部で上下方向であり、ガードル部で左右方向であることに特徴がある。そして、バスト部にはカップ形ブラジャー部が存在せず、着用者の胸肉を引き寄せ、持ち上げて前面に突出させるバスト支持帯が設けられている。
【０００５】
しかしながら、ボディスーツは体を締め付けることにより体のシルエット線を整えるものであり、着用の際には、苦痛を伴うものとなっている。また、ボディスーツは、締め付けを行うために、伸びない布地や伸びの少ない布地を用いる必要があり、結果として厚い布地が採用されている。このため、風通しが悪く、夏季には苦痛がさらに大きくなるばかりでなく、薄着には適合しない問題がある。
【０００６】
さらに、締め付けられた部分における周囲の筋肉や皮膚がボディスーツからはみ出して盛り上がるため、締め付け部分以外のシルエット線が崩れる問題も有している。
【０００７】
このようなボディスーツは、バスト、ウエストや下腹を締め付けてこれらの部分のシルエット線を整え、下着としてのブラジャーはバストのシルエット線を整えるものであるが、これら以外の身体部分、例えば、上腕やその付け根、脇下を整えるものではなく、このため、これらの部分の盛り上がりを抑制できない問題を有している。
【特許文献１】特開２００２−１２９４０６号公報
【特許文献２】特開２００３−８２５０３号公報
【発明の開示】
【発明が解決しようとする課題】
【０００８】
本発明の課題は、上記背景技術に記載した問題に鑑みてなされたものであり、身体を締め付ける苦痛を伴うことなく着用することができ、且つ、上腕、肩、アンダーバストやウエストの筋肉や皮膚が盛り上がったり、はみ出すことなく、確実にカバーリングできる女性用下着を提供することである。
【課題を解決するための手段】
【０００９】
請求項１に記載の発明の女性用下着は、先端部分を切り落したパンティーストッキングの脚挿入部及びこれに連設する胴体部からなり、該胴体部の腹部に対して縦方向の切れ目を入れて展開状態とした第１の部分片と、パンティーストッキングの胴体部を展開状態とした第２の部分片と、前記第１の部分片の胴体部に対して第２の部分片を連結する連結片とを備え、前記第１の部分片が腕、肩、アンダーバストを覆い、第２の部分片がウエストを覆うように形作られていることを特徴とする。
【００１０】
請求項２に記載の発明は、前記第１の部分片が、膝部とふくらはぎ部との境界部で切断されることにより、ふくらはぎ部より先縁部分が切り落とされていることを特徴とする。
請求項３に記載の発明は、前記第１及び第２の部分片の腹部に設けられている縫製部が切り除かれており、この切り除き部分にファスナーが取付けられていることを特徴とする。
請求項４に記載の発明は、前記ファスナーが取付けられる縦方向に切断された前記第１及び第２の部分片の両縁部は、蝋付けされていることを特徴とする。
請求項５に記載の発明は、前記第１及び第２の部分片の前記両縁部の何れか一方には、伸縮性を有する素材で前記ファスナーのベースになる裏打布が縫製されていることを特徴とする
請求項６に記載の発明は、前記第１及び第２の部分片の自由端側にゴムレース布が縫製されていることを特徴とする。
請求項７に記載の発明は、前記第２の部分片には、縦方向のベルトを介し足を挿入して大腿部で留めるリング状の留め部材が設けられていることを特徴とする。
【００１１】
請求項８に記載の発明は、パンティーストッキングから女性用下着を製造する方法であって、前記パンティーストッキングの脚挿入部の先端部分を切り落すことにより、第１の部分片を製造する工程と、前記第１の部分片を用いその胴体部の腹部を縦方向に切断して展開する展開工程と、パンティーストッキングの胴体部を切り取って第２の部分片を製造する工程と、連結片を介して前記第１及び第２の部分片を連結する工程と、縦方向に切断された前記腹部の両縁部にファスナーを取付ける工程と、を含むことを特徴とする。
【００１２】
請求項９に記載の発明は、前記第２の部分片を製造する工程が、パンティーストッキングの腹部を分割して形成されること、もしくは前記パンティーストッキングとは別体の他のパンティーストッキングから、その腹部を切り取ることで、製造されることを特徴とする。
請求項１０に記載の発明は、前記ファスナーを取付ける工程が、縦方向に切断された前記第１及び第２の部分片の両縁部を蝋付けする工程を含むことを特徴とする。
請求項１１に記載の発明は、前記ファスナーのベースになるように、伸縮性を有する裏打布が、前記第１及び第２の部分片の前記両縁部の何れか一方に縫製される工程を含むことを特徴とする。
請求項１２に記載の発明は、前記第１及び第２の部分片の周縁部にゴムレース布を縫製する工程を含むことを特徴とする。
請求項１３に記載の発明は、前記第２の部分片には、縦方向のベルトを介し足を挿入して大腿部で留めるリング状の留め部材を設ける工程を含むことを特徴とする。
【発明の効果】
【００１３】
本発明によれば、上腕、肩、アンダーバストを覆う第１の部分片及びウエストを覆う第２の部分片がいずれもパンティーストッキングを素材とするものであり、伸縮自在の素材のため、弾力を有した状態で上述した身体部分を覆う。このため、上腕、肩、アンダーバストやウエストの筋肉や皮膚が盛り上がったり、はみ出すことなく、確実にカバーリングすることができる。また、カバーリングに際しては、パンティーストッキングからなる第１の部分片及び第２の部分片が身体部位に密着する。このため、身体のシルエット線を美しくすることができる。また、全体が軽量で且つ身体部分を締め付け過ぎることがないため、着用時における苦痛を伴うことがないばかりでなく、薄い生地のため、薄着に対しても好適に着用することが可能となる。
【００１４】
ファスナーが取付けられる部分、即ち、縦方向に切断された前記第１及び第２の部分片の両縁部は、蝋付けされることにより補強される。裏打布は、ファスナーと身体との間に介在するように設けられるので、ファスナーを身体に直接触れることがないものとする。ゴムレース布は、パンティーストッキングとほぼ同様の伸縮性を有し、身体を適度に締め付けるとともに、全体的に彩を添えることができる。リング状の留め部材は、縦方向のベルトを介して女性用下着本体と連設されているので、下着本体の上方へのずり上がりが防止できる。
【００１５】
パンティーストッキングから第１、第２の部分片を製造し、それらを展開するとともに、縦方向に切断された腹部の両縁部にファスナーを取付ける工程を含むことにより、パンティーストッキングから、上腕、肩、アンダーバストやウエストの筋肉や皮膚が盛り上がったり、はみ出すことなく、確実にカバーリングすることができる女性用下着を製造することができる。
【００１６】
縦方向に切断された第１、第２の部分片の両縁部を蝋付けする工程は、ファスナーが取付けられる前中央部分における各端部を補強する。裏打布を縫製する工程は、ファスナーを身体に直接触れることがないものとする。ゴムレース布を縫製する工程は、パンティーストッキングの不足分を補い、且つ、ゴムレース布は身体を適度に締め付けるとともに、全体的に彩を添える。リング状の留め部材を設ける工程は、下着本体の上方へのずり上がりを防止する。
【発明を実施するための最良の形態】
【００１７】
以下、本発明を図示する一実施の形態により、具体的に説明する。図１はパンティーストッキングを示し、図２〜図６は作成手順を示し、図７は作成された実施の形態の女性用下着の前身頃、図８はその後身頃を示し、図９はファスナーの取付けを説明する説明図である。また、図１０〜図１３は着用状態を示す。
【００１８】
この実施の形態に用いるパンティーストッキング１は、図１に示すように、腹部２と脚挿入部３とが連設されることにより構成されている。脚挿入部３は、上部から下部に向かって大腿部３ａ、膝部３ｂ、ふくらはぎ部３ｃ、足首部３ｄ及び足先部３ｅが順に連設されている。また、腹部２の上端部には、身体への装着を行うためのゴムバンド部４が設けられている。このパンティーストッキング１の素材としては、ポリウレタン弾性糸、ナイロン（商品名）等からなるポリアミド糸等を編成した伸縮自在な布材が使用されるものである。
【００１９】
次に、このパンティーストッキング１を用いて女性用下着１０を作成する手順を説明する。図２の（ａ）は、パンティーストッキング１の脚挿入部３の先端部分の切り落しを行う工程である。この工程における切り落しは、両脚の脚挿入部３に対して行うものであり、切り落とされる先端部分としては、ふくらはぎ部３ｃ、足首部３ｄ、足先部３ｅの連設部分が良好である。従って、切り落しにより残された脚挿入部３は、大腿部３ａ及び膝部３ｂによって構成され、以下、この実施の形態において残された脚挿入部の全体を脚挿入部３として記載する。かかる脚挿入部３には、腹部２が連設している。尚、図２の（ｂ）は、他のパンティーストッキング１から、切り取られる腹部２ａを示したものである。
【００２０】
脚挿入部３は、着用者の腕が挿入されることにより、着用者の上腕を覆うものである（図１０〜図１３参照）。従って、脚挿入部３は着用者の好みあるいは体の大きさに合わせて適宜その長さを選定することができる。このため切り落し部分を足首部３ｄ、足先部３ｅとしたり、膝部３ｂの中途部分で切り落しを行っても良い。
【００２１】
図３は、腹部２の前側の縫製部（図中Ａで示す）にハサミを入れて切断することにより切断部を広げて、腹部２を展開状態とする工程を示したものである。図３の（ａ）は、図２の（ａ）で示した脚挿入部３を逆さにして示した切断前の状態であり、図３の（ｂ）は、切断後を示したものである。図４は、上述した第１の部分片１１に対して、ゴムバンド部４の切り落しを行う工程を示したものである。因みに、図３の（ｂ）と図４とは、同一状態のものであり、図４の方がより実際的なパンティーストッキングの状態を示した記載となっている。
【００２２】
図５は第１の部分片１１の作成に加えて、第２の部分片１２を作成する工程を示す。第２の部分片１２はパンティーストッキング１の腹部２によって構成されるものである。この第２の部分片１２は、第１の部分片１１を作成したパンティーストッキング１と別個のパンティーストッキング１を用い、この別個のパンティーストッキング１から脚挿入部３の全体を切り落して第２の部分片１２とする。この第２の部分片１２は、図２の（ｂ）で示した腹部２ａである。このような第２の部分片１２は、第１の部分片１１を作成するパンティーストッキング１から腹部２を２分割することにより第２の部分片１２として形成することもできる。
【００２３】
図６は、以上の第１の部分片１１及び第２の部分片１２を並べた状態を示す。この場合、第２の部分片１２がゴムバンド部４を有している場合には、第１の部分片１１と同様にゴムバンド部４を腹部２から切り落す。また、第１の部分片１１及び第２の部分片１２が腹部２を丸めるための縫製部が残っている場合には、この縫製部を切り落して除去する。そして、この縫製部切り落し部分（図中における左右端）に対しては、図７に示すようにファスナー１４を取付ける（ファスナーを取付ける工程）ことにより前開きの下着とすることができる。
【００２４】
図６に示すように、第１の部分片１１及び第２の部分片１２においては、腹部２に縦方向の溶着線７（背中が当接する部分）が形成されており、この溶着線７を目安として第１の部分片１１及び第２の部分片１２の腹部２を並べる。これに加えて、第１の部分片１１及び第２の部分片１２の間に連結片１３（図７及び図８参照）を差し込み、連結片１３の両端部を第１の部分片１１及び第２の部分片１２に縫製してこれらの部分片１１、１２を連結する。連結片１３としては、ゴムレース布を用いることにより、装飾性を付与することができる。
【００２５】
図７及び図８は、以上の工程を経て作成されたこの実施の形態の女性用下着１０を示す。この女性用下着１０では、第１の部分片１１及び第２の部分片１２が連結片１３によって連結し、且つ、ファスナー１４を取付けることにより前開きの下着となっており、胸部及び腹部を含めた身体部位を覆うようになっている。また、この形態の女性用下着１０においては、第１の部分片１１の自由端側に小幅の飾布１５が縫製されると共に、第２の部分片１２の自由端側にも小幅の飾布１６が縫製されている。さらに、第１の部分片１１における脚挿入部３の自由端側にも小幅の飾布１７が縫製されている。これらの飾布１５、１６、１７としては、連結片１３と同様なゴムレース布を用いることができる。このように連結片１３及び飾布１５、１６、１７としてゴムレース布を用いることにより、これらの部分が弾力を有して身体部位に密着するため、身体との一体感を得ることができ、着用感を向上させることができる。
【００２６】
図９は、女性用下着１０の中央部に設けられるファスナーの操作子２５を備えたファスナー１４である。このファスナー１４を取付ける際には、先ず、縦方向に切断された第１の部分片１１、連結片１３及び第２の部分片１２の両縁部を蝋付け（図省略）して補強する。次に、伸縮性を有する裏打布２２を上述した両縁部の何れかにファスナー１４のベースになるように縫製する。この裏打布２２は、ファスナー１４が直接人体に触れないように介在させるものである。その後、縦方向に切断された第１の部分片１１、連結片１３及び第２の部分片１２の両縁部にファスナー１４を取付ける。ファスナー１４の両側には、ゴムレース布２３を設けて意匠性を向上させる。
【００２７】
図１０は女性用下着１０を着用した状態を前側から示し、図１１は後側から示している。女性用下着１０の着用により、第１の部分片１１における脚挿入部３は肩及び上腕を覆い、腹部２がアンダーバストを覆っている。また、連結片１３及び第２の部分片１２はウエストを覆っている。この場合、第２の部分片１２としては、ウエストから下腹部にかけた部分を覆っても良い。また、第１の部分片１１の腹部２がアンダーバストを覆っていることから、この上からブラジャーを着用してバストを覆うことができる。
【００２８】
このような実施の形態では、第１の部分片１１及び第２の部分片１２の素材として、伸縮自在なパンティーストッキングを用いるため、これらが適度な弾力を有した状態で身体に密着して身体部分を覆うことができ、身体を締め付け過ぎることがない。このため、上腕、肩、アンダーバストやウエストの筋肉や皮膚が盛り上がったり、はみ出すことなく、確実にカバーリングすることができる。これにより、この下着１０の上からブラジャーを着用しても、上腕部分や脇下部分が盛り上がることなく、すっきりした美しいシルエット線とすることができる。
【００２９】
これに加えて、下着１０の全体が軽量で且つ身体部分を締め付け過ぎることがないため、着用時における苦痛が伴うことがないばかりでなく、薄い生地のため、薄着に対しても好適に着用することが可能となる。
【００３０】
図１２及び図１３は、女性用下着１０を着用した状態を前側及び後側から示した図１０及び図１１に加えて、適度な弾力が加えられる様子を矢印で示したものである。そして、さらに、第２の部分片１２の下端に、縦方向のベルト２１を介して足を挿入して大腿部で留めるリング状ベルト（リング状の留め部材）２０を設けたことを示したものである。このリング状ベルト２０は、着用者の活動により、女性用下着１０が上方へずり上がらないようにするものである。リング状ベルト２０やベルト２１の材質は、特に、限定されるものではないが、連結片１３や飾布１６等で利用したゴムレース布でもよい。
【００３１】
図１２及び図１３において、矢印を用いて示したように、女性用下着１０は、二の腕部分を適度な弾力で覆う。さらに、上腕から肩およびアンダーバストを覆うが、無理なく自然な弾力を備えて覆うので、皮膚が盛り上がったり、はみ出すことがない。特に、ボディースーツと比較した場合、上腕やその付け根および脇下が盛り上ることがない。ウエスト部分はゴムレース布で覆われるが、多少弾力を強めてウエスト部分を引き締めるようにしてもよい。このように上半身を全体的に適度な弾力で覆うようにするので、身体のシルエット線を美しくすることができる。また、全体が軽量で且つ身体部分を締め付け過ぎることがないため、着用時における苦痛を伴うことがない。さらに、パンティーストッキングは、生地が薄いので、薄着であっても、好適に着用することが可能となる。
【００３２】
本発明は、以上の実施の形態に限定されることなく、種々変形が可能である。例えば、連結片１３として、ゴムレース布以外の布材を用いても良く、飾布１５、１６、１７を省いても良い。
【図面の簡単な説明】
【００３３】
【図１】本発明の一実施の形態に用いるパンティーストッキングの斜視図である。
【図２】下着を作成する第１工程の斜視図であり、（ａ）は脚部の切断を示し（ｂ）は腹部の切断を示す。
【図３】下着を作成する第２工程の斜視図であり、（ａ）は使用される部位を示し、（ｂ）はその展開状態を示す。
【図４】腹部からゴムバンド部を切り落す状態を示す正面図である。
【図５】第１の部分片及び第２の部分片を並べた状態を示す正面図である。
【図６】図５の状態に対しゴムバンド部を切り落した状態を示す正面図である。
【図７】本発明の一実施の形態の女性用下着の正面図である。
【図８】女性用下着の背面図である。
【図９】ファスナーを示す説明図である。
【図１０】着用した状態を示す前側からの斜視図である。
【図１１】着用した状態を示す後側からの斜視図である。
【図１２】着用した状態を示す前側からの斜視図である。
【図１３】着用した状態を示す後側からの斜視図である。
【符号の説明】
【００３４】
１  パンティーストッキング
２  腹部
３  脚挿入部
４  ゴムバンド部
１０  女性用下着
１１  第１の部分片
１２  第２の部分片
１３  連結片
１４  ファスナー
１５、１６、１７  飾布
２０  リング状ベルト
２１  ベルト
２２  裏打布
２３  ゴムレース布
Ａ  縫製部
【図１】
2006104642.tif 000003
【図２】
2006104642.tif 000004
【図３】
2006104642.tif 000005
【図４】
2006104642.tif 000006
【図５】
2006104642.tif 000007
【図６】
2006104642.tif 000008
【図７】
2006104642.tif 000009
【図８】
2006104642.tif 000010
【図９】
2006104642.tif 000011
【図１０】
2006104642.tif 000012
【図１１】
2006104642.tif 000013
【図１２】
2006104642.tif 000014
【図１３】
2006104642.tif 000015